(57)【要約】【課題】ガス圧調整器との通信により自動漏洩検査を行うガス器具監視装置を提供する。【解決手段】流量計測手段１７と、ガス遮断弁２ｃと、流量計測手段１７の計測結果に基づく各種情報を処理する制御回路１０ａと、複数の相手先と情報の送受信を行う無線モジュール１１と、相手先に応じて通信周波数帯を切り替える通信切替手段１０ｃとを備え、無線モジュール１１は、流量計測手段１７を構成する制御回路基板１０と一体的に構成してガスメータ２内に収納し、少なくとも基地局１４との通信周波数帯とガス圧調節器２２との通信周波数帯を有し、基地局１４からの漏洩検査指令によりガス圧調節器２２に内蔵の遮断弁２２ｃを作動させガスメータ２から上流側の漏洩検査を自動的に実施する構成としてある。【選択図】図２
2008232993.tif 000002
【特許請求の範囲】
【請求項１】
ガスボンベに接続されたガス供給経路の途中にガス圧を調整するガス圧調整器とガスメータを配置し、前記ガスメータを経由した後の配管に接続される複数のガス器具の使用状況を監視するとともに、複数の相手先と電話回線以外の通信回線を用いて直接送受信が可能な無線モジュールを搭載したガス器具監視装置であって、
ガスメータには、ガス流量を計測する流量計測手段と、異常時にガス流路を遮断するガス遮断弁と、前記流量計測手段の計測結果に基づき所定の処理を行って流量情報として出力する制御回路と、ガス流路内の圧力を検出する圧力検出手段と、前記圧力検出手段の出力よりガス漏洩状態を判断する漏洩判断手段と、複数の相手先と情報の送受信を行うメータ無線モジュールと、相手先に応じて通信周波数帯を切り替える通信切替手段と、駆動用の電池電源とを備え、
前記メータ無線モジュールは、前記制御回路と一体的に構成して前記ガスメータ内に収納し、少なくとも基地局との通信周波数帯とガス圧調整器ユニットとの通信周波数帯を有し、
前記ガス圧調整器ユニットには、所定のガス圧に調整するガス圧調整手段と、ガス供給経路を遮断するボンベ側遮断弁と、所定の通信周波数帯で送受信が可能なボンベ側無線モジュールと、駆動用の電池電源とを備え、
前記制御回路には、前記流量計測手段の流量情報に基づいて器具の使用有無を判断する器具使用確認手段を有し、前記基地局から送信される漏洩検査指令を受信すると、前記器具使用確認手段で器具が使用されていないと判断したとき、前記ガス圧調整器ユニット内のボンベ側遮断弁を閉じて漏洩確認動作を実施する第１漏洩確認モードと、前記ガスメータ内のガス遮断弁を閉じて漏洩確認動作を実施する第２漏洩確認モードとを有し、前記第１漏洩確認モードで「漏洩あり」と判断したとき、前記第２漏洩確認モードを実施するようにしたガス器具監視装置。
【請求項２】
メータ無線モジュールは、基地局との通信用無線モジュールとガス圧調整器ユニットとの通信用無線モジュールとは異なる通信周波数帯を用いて通信を行い、
ガス圧調整器ユニットとの通信用無線モジュールは特定小電力無線通信周波数帯を有するエリア通信無線モジュールとし、基地局との通信用無線モジュールは広域通信周波数帯を有する広域通信無線モジュールとした請求項１記載のガス器具監視装置。
【請求項３】
第１漏洩確認モードは、基地局からの漏洩検査指令で流量計測手段からの流量情報の有無を確認し、流量なしの場合にボンベ側無線モジュールにボンベ側遮断弁の遮断指令を送信し、ボンベ側遮断弁を閉じて圧力検出手段で検出されるガス圧変化が所定範囲内にあるか否かで漏洩状態を確認し、流量ありの場合は流量なしの状態が確認されるまで待機状態とする請求項１または２記載のガス器具監視装置。
【請求項４】
第２漏洩確認モードは、基地局からの漏洩検査指令で流量計測手段からの流量情報の有無を確認し、流量なしの場合にガスメータ内のガス遮断弁を閉じて圧力検出手段で検出されるガス圧変化が所定範囲内にあるか否かで漏洩状態を確認し、流量ありの場合は流量なしの状態が確認されるまで待機状態とする請求項１または２記載のガス器具監視装置。
【請求項５】
漏洩確認動作の実施中に急激なガス圧変化が確認されたとき、遮断弁を開状態に復帰して漏洩確認動作を中断する請求項１〜４のいずれか１項記載のガス器具監視装置。
【請求項６】
漏洩検査結果を広域通信無線モジュールにより基地局に通報し復帰許可指令を受信すると、エリア通信無線モジュールによりボンベ側無線モジュールに送信し、ボンベ側遮断弁を開状態に復帰してガスの供給動作を可能にする請求項１〜５のいずれか１項記載のガス器具監視装置。
【請求項７】
漏洩検査結果を広域通信無線モジュールにより基地局に通報し復帰禁止指令を受信すると、エリア通信無線モジュールによりボンベ側無線モジュールに送信し、ボンベ側遮断弁を遮断状態に保持してガスの供給動作を不可にする請求項１〜５のいずれか１項記載のガス器具監視装置。
【請求項８】
エリア通信無線モジュールは、ガス圧調整器ユニットとの通信以外に特定の端末装置との通信も可能とし、漏洩確認情報が発信されたとき特定の端末装置にも送信するようにした請求項１〜７のいずれか１項記載のガス器具監視装置。
【請求項９】
漏洩確認動作が実施されたとき、経過情報を残時間あるいは完了予定時刻等で表示端末装置に表示するようにした請求項１〜８のいずれか１項記載のガス器具監視装置。
【請求項１０】
漏洩確認動作が実施され流量ありが確認されたとき、流量なし状態への待機状態であることを表示端末装置に表示するようにした請求項１〜９のいずれか１項記載のガス器具監視装置。
【請求項１１】
漏洩確認動作の実施中に急激なガス圧変化が確認されたとき、遮断弁を開状態に復帰して漏洩確認動作を中断すると共に、中断状態であることを表示端末装置に表示するようにした請求項１〜１０のいずれか１項記載のガス遮断装置。
【請求項１２】
漏洩検査結果を基地局に通報し復帰許可指令を受信すると、遮断弁を開状態に復帰してガスの供給動作を可能にすると共に、漏洩検査結果で問題がなく正常に復帰したことを表示端末装置に表示するようにした請求項１〜１１のいずれか１項記載のガス遮断装置。
【請求項１３】
漏洩検査結果を基地局に通報し復帰禁止指令を受信すると、遮断弁を遮断状態に保持してガスの供給動作を不可にすると共に、漏洩検査結果で問題が発生し修理が必要であることを表示端末装置に表示するようにした請求項１〜１２のいずれか１項記載のガス遮断装置。
【請求項１４】
表示端末装置はテレビあるいは携帯電話とし、ガス遮断装置に内蔵の無線モジュールと同一の通信周波数帯を有する無線モジュールを内蔵あるいは一体的に取り付けた請求項１〜１３のいずれか１項記載のガス遮断装置。
【発明の詳細な説明】
【技術分野】
【０００１】
本発明は、ガスボンベに接続されたガス供給経路の途中にガス圧を調整する調整器とガスメータを配置し、ガスメータを経由した後のガス配管に接続される複数のガス器具の使用状況を監視するガス器具監視装置に関し、特に、基地局から送信される漏洩検査指令に基づいて所定の漏洩確認処理モードを実行するガス器具監視装置に関するものである。
【背景技術】
【０００２】
従来、この種のガス遮断装置としては、ガス流路に流れるガスの流量を検出する流量センサと、流量センサが検出したガスの流れを流量信号として発信する流量信号発信器と、流量センサの上流側に設けられ、ガス流路のガス圧を検出する圧力センサと、圧力センサが検出した圧力変動を圧力信号として発信する圧力信号発信器と、流量信号発信器と圧力信号発信器とに電気的に接続した演算手段とからなるガス漏洩検知装置において、上記演算手段は、流量信号発信器からの流量信号の有無を判断する流量信号判断手段と、圧力信号発信器からの圧力信号をの変動を判断する圧力信号判断手段と、流量信号判断手段により流量信号が「無」と判断されたときに、圧力信号判断手段で判断した圧力変動を参照し、圧力変動が予め定めた一定範囲内であると判断すると、漏洩信号を発信する漏洩判断手段と、からなるガス漏洩検知装置が開示されている（特許文献１参照）。
【０００３】
また、通過ガス量に対応した流量信号を出力する流量測定部と、装置から下流側のガス通路を遮断開放する遮断部と、流量信号を監視し特定調査期間の間に流量信号が存在しない無流量時間帯を検出して保持し以後無流量時間帯になると圧力検査要求信号を出力する流量無し学習部と、無流量時間帯でかつ流量信号を受信しないときに遮断部へガス通路を遮断指示し圧力の変動を検出する圧力検知部に遮断したガス通路が所定時間内に所定値以上の圧力低下をしていないかを検知指示する圧力検査部とを備えたガス遮断装置が開示されている（例えば、特許文献２参照）。
【特許文献１】特開平６−２５８１７０号公報
【特許文献２】特開平８−１２１７６３号公報
【発明の開示】
【発明が解決しようとする課題】
【０００４】
しかしながら、上記特許文献１に開示された従来の構成は、通常の使用状態において調圧されたガス圧が外気温変化に影響されて変動する特性を利用して、ガス圧が変動する時間帯において、ガス器具の使用がない状態における圧力変動を監視することでガスメータ上流側のガス流路からのガス漏れを検出するというものであり、ある程度の時間を費やして圧力変動を確認する必要があり、漏洩検査のための電池消耗が発生したり、季節によって異なる外気温度の変化を受けて正確に圧力変動を検出することができないという問題があった。
【０００５】
また、特許文献２に開示された従来の構成は、ガスメータの下流側におけるガス流路のガス漏れを、ガス器具の使用がない時間帯において遮断弁を閉塞して圧力変動を監視することで検出するようにしたものであり、ＬＰガス等のボンベから供給される形態においてガスメータの上流側におけるガス流路のガス漏れを検出することができないという問題があった。
【０００６】
本願発明は上記課題を解決するもので、ガスの流量及び圧力の計測機能及び遮断機能を有するガスメータに、ガス圧調整器との間で漏洩検査情報を送受信する無線モジュールを内蔵し、漏洩検査指令を送信することでボンベ側の流路を遮断し、ガスメータに内蔵の圧
力計測機能を用いて、ガスメータより上流側のガス漏れが検出可能なガス器具監視装置を提供するものである。
【課題を解決するための手段】
【０００７】
上記従来の課題を解決するために本発明のガス器具監視装置は、ガスボンベに接続されたガス供給経路の途中にガス圧を調整するガス圧調整器ユニットとガスメータを配置し、前記ガスメータを経由した後の配管に接続される複数のガス器具の使用状況を監視するとともに、複数の相手先と電話回線以外の通信回線を用いて直接送受信が可能な無線モジュールを搭載したガス器具監視装置であって、ガスメータには、ガス流量を計測する流量計測手段と、異常時にガス流路を遮断するガス遮断弁と、前記流量計測手段の計測結果に基づき所定の処理を行って流量情報として出力する制御回路と、ガス流路内の圧力を検出する圧力検出手段と、前記圧力検出手段の出力よりガス漏洩状態を判断する漏洩判断手段と、複数の相手先と情報の送受信を行うメータ無線モジュールと、相手先に応じて通信周波数帯を切り替える通信切替手段と、駆動用の電池電源とを備え、前記メータ無線モジュールは、前記制御回路と一体的に構成して前記ガスメータ内に収納し、少なくとも基地局との通信周波数帯とガス圧調整器ユニットとの通信周波数帯を有し、前記ガス圧調整器ユニットには、所定のガス圧に調整するガス圧調整手段と、ガス供給経路を遮断するボンベ側遮断弁と、所定の通信周波数帯で送受信が可能なボンベ側無線モジュールと、駆動用の電池電源とを備え、前記制御回路には、前記流量計測手段の流量情報に基づいて器具の使用有無を判断する器具使用確認手段を有し、前記基地局から送信される漏洩検査指令を受信すると、前記器具使用確認手段で器具が使用されていないと判断したとき、前記ガス圧調整器ユニット内のボンベ側遮断弁を閉じて漏洩確認動作を実施する第１漏洩確認モードと、前記ガスメータ内のガス遮断弁を閉じて漏洩確認動作を実施する第２漏洩確認モードとを有し、前記第１漏洩確認モードで「漏洩あり」と判断したとき、前記第２漏洩確認モードを実施するようにしたものである。
【０００８】
上記発明によれば、電話回線以外の無線通信手段を用いて基地局との通信が可能な無線モジュールと、ガスボンベ側に設けたガス圧調整器との間で漏洩検査情報の送受信が可能な無線モジュールとを、ガスメータ内の計測機能及び遮断機能を有した制御回路基板に一体的に組み込んだ形態としているため、ガスメータを設置するだけで基地局と電話回線を用いることなく通信が可能となり、回線の混雑状況に影響を受けず基地局との通信をスムーズに行うことができ、ガスメータで取得した各種器具情報を基地局に迅速かつ的確に伝えることができ、また基地局からの指示に基づく各種処理を的確に実施することができる。
【０００９】
さらに、基地局から漏洩検査指令が送信されたとき所定の確認処理を経て、まずガス圧調整器ユニット内のボンベ側遮断弁を閉じてガスメータより上流側のガス供給経路を含むガス流路内のガス漏洩検査を実施し、この検査結果において「漏洩あり」と判断したとき、ガスメータ内のガス遮断弁を閉じてガスメータより下流側のガス流路内のガス漏洩検査を実施するようにしているため、ガス漏れ発生時においてガス漏れ箇所がガスメータより上流側か、下流側か、を特定することができ、迅速な処置が可能になる。
【００１０】
また、基地局から漏洩検査指令を送信するだけで、漏洩検査が可能な状態であるか否かを判断し可能な状態と判断したとき、ガス圧調整器ユニットに内蔵のボンベ側遮断弁を動作させ、ボンベ側ガス供給経路を遮断してガスメータより上流側の漏洩検査を自動的に行うことができるため、ガス事業者が需要家宅に出向いて検査を行う必要がなくなり、検査の省力化を図ることができる。
【発明の効果】
【００１１】
本発明のガス器具監視装置は、ガスメータを設置するだけで基地局およびガス圧調整器
との通信が電話回線を用いることなく可能となり、回線の混雑状況に影響を受けず基地局からの各種指令及びガスメータからの各種情報をスムーズに伝達することができる。
【００１２】
また、基地局から漏洩検査指令が送信されたとき所定の確認処理を経て、まずガス圧調整器ユニット内のボンベ側遮断弁を閉じてガスメータより上流側のガス供給経路を含むガス流路内のガス漏洩検査を実施し、この検査結果において「漏洩あり」と判断したとき、ガスメータ内のガス遮断弁を閉じてガスメータより下流側のガス流路内のガス漏洩検査を実施するようにしているため、ガス漏れ発生時においてガス漏れ箇所がガスメータより上流側か、下流側か、を特定することができ、迅速な処置が可能になる。
【００１３】
また、基地局から漏洩検査指令を送信するだけで、漏洩検査が可能な状態であるか否かを判断し可能な状態と判断したとき、ガス圧調整器ユニットに内蔵のボンベ側遮断弁を動作させ、ボンベ側ガス供給経路を遮断してガスメータより上流側の漏洩検査を自動的に行うことができるため、ガス事業者が需要家宅に出向いて検査を行う必要がなくなり、検査の省力化を図ることができる。
【発明を実施するための最良の形態】
【００１４】
第１の発明は、ガスボンベに接続されたガス供給経路の途中にガス圧を調整するガス圧調整器ユニットとガスメータを配置し、前記ガスメータを経由した後の配管に接続される複数のガス器具の使用状況を監視するとともに、複数の相手先と電話回線以外の通信回線を用いて直接送受信が可能な無線モジュールを搭載したガス器具監視装置であって、ガスメータには、ガス流量を計測する流量計測手段と、異常時にガス流路を遮断するガス遮断弁と、前記流量計測手段の計測結果に基づき所定の処理を行って流量情報として出力する制御回路と、ガス流路内の圧力を検出する圧力検出手段と、前記圧力検出手段の出力よりガス漏洩状態を判断する漏洩判断手段と、複数の相手先と情報の送受信を行うメータ無線モジュールと、相手先に応じて通信周波数帯を切り替える通信切替手段と、駆動用の電池電源とを備え、前記メータ無線モジュールは、前記制御回路と一体的に構成して前記ガスメータ内に収納し、少なくとも基地局との通信周波数帯とガス圧調整器ユニットとの通信周波数帯を有し、前記ガス圧調整器ユニットには、所定のガス圧に調整するガス圧調整手段と、ガス供給経路を遮断するボンベ側遮断弁と、所定の通信周波数帯で送受信が可能なボンベ側無線モジュールと、駆動用の電池電源とを備え、前記制御回路には、前記流量計測手段の流量情報に基づいて器具の使用有無を判断する器具使用確認手段を有し、前記基地局から送信される漏洩検査指令を受信すると、前記器具使用確認手段で器具が使用されていないと判断したとき、前記ガス圧調整器ユニット内のボンベ側遮断弁を閉じて漏洩確認動作を実施する第１漏洩確認モードと、前記ガスメータ内のガス遮断弁を閉じて漏洩確認動作を実施する第２漏洩確認モードとを有し、前記第１漏洩確認モードで「漏洩あり」と判断したとき、前記第２漏洩確認モードを実施するようにしたことを特徴とするものである。
【００１５】
そして、電話回線以外の無線通信手段を用いて基地局との通信が可能な無線モジュールと、ガスボンベ側に設けたガス圧調整器との間で漏洩検査情報の送受信が可能な無線モジュールとを、ガスメータ内の計測機能及び遮断機能を有した制御回路基板に一体的に組み込んだ形態としているため、ガスメータを設置するだけで基地局と電話回線を用いることなく通信が可能となり、回線の混雑状況に影響を受けず基地局との通信をスムーズに行うことができ、ガスメータで取得した各種器具情報を基地局に迅速かつ的確に伝えることができ、また基地局からの指示に基づく各種処理を的確に実施することができる。
【００１６】
さらに、基地局から漏洩検査指令が送信されたとき所定の確認処理を経て、まずガス圧調整器ユニット内のボンベ側遮断弁を閉じてガスメータより上流側のガス供給経路を含むガス流路内のガス漏洩検査を実施し、この検査結果において「漏洩あり」と判断したとき
、ガスメータ内のガス遮断弁を閉じてガスメータより下流側のガス流路内のガス漏洩検査を実施するようにしているため、ガス漏れ発生時においてガス漏れ箇所がガスメータより上流側か、下流側か、を特定することができ、迅速な処置が可能になる。
【００１７】
また、基地局から漏洩検査指令を送信するだけで、漏洩検査が可能な状態であるか否かを判断し可能な状態と判断したとき、ガス圧調整器ユニットに内蔵のボンベ側遮断弁を動作させ、ボンベ側ガス供給経路を遮断してガスメータより上流側の漏洩検査を自動的に行うことができるため、ガス事業者が需要家宅に出向いて検査を行う必要がなくなり、検査の省力化を図ることができる。
【００１８】
第２の発明は、メータ無線モジュールは、基地局との通信用無線モジュールとガス圧調整器ユニットとの通信用無線モジュールとは異なる通信周波数帯を用いて通信を行い、ガス圧調整器ユニットとの通信用無線モジュールは特定小電力無線通信周波数帯を有するエリア通信無線モジュールとし、基地局との通信用無線モジュールは広域通信周波数帯を有する広域通信無線モジュールとしたことを特徴とするものである。
【００１９】
そして、基地局とキャリアダイレクトで通信可能な広域通信無線モジュールと、特定小電力無線通信周波数帯を用いて所定の範囲内で通信可能なエリア通信無線モジュールとを制御回路基板と一体的に構成し、基地局と電話回線以外の通信回線で情報の伝達を行い、ガスボンベ側に設けたガス圧調整器との間で特定小電力無線通信周波数帯を用いて漏洩検査情報の伝達を行うようにしているため、基地局から漏洩検査指令を送信するだけで、漏洩検査が可能な状態であるか否かを判断し可能な状態と判断したとき、ガス圧調整器ユニットのボンベ側無線モジュールに漏洩検査の開始信号を送信して、漏洩検査を自動的に行うことができるため、ガス事業者が需要家宅に出向いて検査を行う必要がなくなり、検査の省力化を図ることができる。
【００２０】
第３の発明は、第１の漏洩確認モードは、基地局からの漏洩検査指令で流量計測手段からの流量情報の有無を確認し、流量なしの場合にボンベ側無線モジュールにボンベ側遮断弁の遮断指令を送信し、ボンベ側遮断弁を閉じて圧力検出手段で検出されるガス圧変化が所定範囲内にあるか否かで漏洩状態を確認し、流量ありの場合は流量なしの状態が確認されるまで待機状態とすることを特徴とするものである。
【００２１】
そして、基地局からの漏洩検査指令を広域通信無線モジュールで受信したあと、漏洩検査モードに入って流量計測手段からの流量情報で流量なしの状態が検出されたとき、ガスボンベ側に設けたガス圧調整器に一体的に取り付けられたボンベ側無線モジュールに漏洩検査開始用の信号を特定小電力無線通信周波数帯を用いて送信し、この信号を受けてガス圧調整器に一体的に取り付けられたボンベ側遮断弁を閉じ、ガスメータに内蔵の圧力検出手段によりガス圧の変化状況を確認し、所定期間内におけるガス圧変化より漏洩の有無を判断することで、ガスメータより上流側の流路を含む漏洩検査を実施することができる。
【００２２】
また、漏洩検査モードに入ったとき、流量計測手段で流量ありが確認された場合は器具が使用中であると判断して、流量なしの状態が確認されるまで漏洩検査待機モードとして漏洩確認動作を行わず、流量なしの状態が確認されたとき実施するようにしたもので、ガス事業者が実施する定期的な漏洩検査や漏洩通報があったときに行う漏洩検査を、基地局からガスメータに漏洩検査指令を送信するだけで、ガスメータ自体が検査可能な状況を判断するための情報を取得し、判断し、検査を実行するセルフチェック機能を有するものとなり、検査の省力化に大きく貢献することができるものであり、特に、ガスメータより上流側の流路を含むガス供給経路の漏洩検査を実施することができる。
【００２３】
第４の発明は、第２の漏洩確認モードは、漏洩確認動作は、基地局からの漏洩検査指令
で流量計測手段からの流量情報の有無を確認し、流量なしの場合にガス遮断弁を閉じて圧力検出手段で検出されるガス圧変化が所定範囲内にあるか否かで漏洩状態を確認し、流量ありの場合は流量なしの状態が確認されるまで待機状態とすることを特徴とするものである。
【００２４】
そして、基地局からの漏洩検査指令を広域通信無線モジュールで受信したあと、漏洩検査モードに入って流量計測手段からの流量情報で流量なしの状態が検出されたとき、ガスメータに内蔵のガス遮断弁を閉じ、ガスメータに内蔵の圧力検出手段によりガス圧の変化状況を確認し、所定期間内におけるガス圧変化より漏洩の有無を判断することで、ガスメータより下流側の流路の漏洩検査を実施することができ、第１の漏洩確認モードで「漏洩あり」が検出されたとき実施することで、漏洩箇所がガスメータより上流側か下流側かを特定することができる。
【００２５】
また、漏洩検査モードに入ったとき、流量計測手段で流量ありが確認された場合は器具が使用中であると判断して、流量なしの状態が確認されるまで漏洩検査待機モードとして漏洩確認動作を行わず、流量なしの状態が確認されたとき実施するようにしたもので、ガス事業者が実施する定期的な漏洩検査や漏洩通報があったときに行う漏洩検査を、基地局からガスメータに漏洩検査指令を送信するだけで、ガスメータ自体が検査可能な状況を判断するための情報を取得し、判断し、検査を実行するセルフチェック機能を有するものとなり、検査の省力化に大きく貢献することができるものであり、特に、ガスメータより下流側の流路の漏洩検査を実施することができる。
【００２６】
第５の発明は、漏洩確認動作の実施中に急激なガス圧変化が確認されたとき、遮断弁を開状態に復帰して漏洩確認動作を中断することを特徴とするものである。
【００２７】
そして、漏洩検査の実施中にガス圧検出手段で検出されるガス圧が急激に減少方向に変化したときはガス器具が使用されたと判断して、ボンベ側遮断弁またはガス遮断弁を開状態に復帰させてガスの供給を開始し漏洩検査を中断してガス器具の使用を優先させ、使い勝手の向上を図ったものである。
【００２８】
第６の発明は、漏洩検査結果を広域通信無線モジュールにより基地局に通報し復帰許可指令を受信すると、エリア通信無線モジュールによりボンベ側無線モジュールに送信し、ボンベ側遮断弁を開状態に復帰してガスの供給動作を可能にすることを特徴とするものである。
【００２９】
そして、漏洩検査が完了するとその結果を基地局に送信し、異常がない場合基地局から送信される復帰許可指令に基づいて、特定小電力無線周波数帯を用いた通信機能によりボンベ側遮断弁を開状態に復帰させてガスの供給を開始するもので、基地局からの復帰許可指令だけで自動的に復帰動作を実行するため、検査の省力化に大きく貢献することができる。
【００３０】
第７の発明は、漏洩検査結果を広域通信無線モジュールにより基地局に通報し復帰禁止指令を受信すると、エリア通信無線モジュールによりボンベ側無線モジュールに送信し、ボンベ側遮断弁を遮断状態に保持してガスの供給動作を不可にすることを特徴とするものである。
【００３１】
そして、漏洩検査が完了するとその結果を基地局に送信し、異常がある場合基地局から送信される復帰禁止指令に基づいて、ボンベ側遮断弁を閉状態に保持しガスの供給を停止するもので、基地局からの復帰禁止指令で自動的に復帰禁止動作を実行し、点検作業が行われるまでの間の安全性を確保することができる。
【００３２】
第８の発明は、エリア通信無線モジュールは、ガス圧調整器ユニットとの通信以外に特定の端末装置との通信も可能とし、漏洩確認情報が発信されたとき特定の端末装置にも送信するようにしたことを特徴とするものである。
【００３３】
そして、ガスメータに内蔵したエリア通信無線モジュールを用いてテレビや携帯電話等の特定端末装置とも通信できるようにすることで、自動的に実施される漏洩確認検査の情報を送信することが可能となり、テレビや携帯電話の画面上に検査状況、検査結果を表示することができ、需要家への報知義務を自動的に、かつリアルタイムに果たすことが可能となる。
【００３４】
第９の発明は、漏洩確認動作が実施されたとき、経過情報を残時間あるいは完了予定時刻等で表示端末装置に表示するようにしたことを特徴とするものである。
【００３５】
そして、漏洩検査が実施されたとき、その状況をテレビや携帯電話等の表示端末装置で検査完了までの残時間あるいは検査が完了する予定時刻などの情報として表示することで、漏洩検査中であることを知らせることができ、器具の使用を差し控えてもらうことも可能となり、器具使用に伴う検査の中断等のトラブルを低減することができる。
【００３６】
第１０の発明は、漏洩確認動作が実施され流量ありが確認されたとき、流量なし状態への待機状態であることを表示端末装置に表示するようにしたことを特徴とするものである。
【００３７】
そして、漏洩確認動作の開始において外出から帰宅して器具使用等により流量ありが確認されたときは器具の使用が停止されるまで待機状態とし、その状況をテレビや携帯電話等の表示端末装置で表示することで、漏洩検査モードに入っていることを需要家に知らせることができ、器具の使用を差し控えてもらうことも可能となり、器具使用に伴う検査の中断等のトラブルを低減することができる。
【００３８】
第１１の発明は、漏洩確認動作の実施中に急激なガス圧変化が確認されたとき、遮断弁を開状態に復帰して漏洩確認動作を中断すると共に、中断状態であることを表示端末装置に表示するようにしたことを特徴とするものである。
【００３９】
そして、漏洩検査の実施中にガス圧検出手段で検出されるガス圧が急激に減少方向に変化したときガス器具が使用されたと判断して、遮断弁を開状態に復帰させてガスの供給を開始して漏洩検査を中断しガス器具の使用を優先させると共に、その状況をテレビや携帯電話等の表示端末装置で表示することで、漏洩検査中であったことを需要家に知らせることができ、器具の使用を最小限に抑えてもらうことも可能となり、器具使用に伴う検査の中断等のトラブルを低減することができる。
【００４０】
第１２の発明は、漏洩検査結果を基地局に通報し復帰許可指令を受信すると、遮断弁を開状態に復帰してガスの供給動作を可能にすると共に、漏洩検査結果で問題がなく正常に復帰したことを表示端末装置に表示するようにしたことを特徴とするものである。
【００４１】
そして、漏洩検査が完了するとその結果を基地局に送信し、異常がない場合基地局から送信される復帰許可指令に基づいて遮断弁を開状態に復帰させてガスの供給を開始すると共に、その状況をテレビや携帯電話等の表示端末装置で表示することで、需要家に対してガス漏れ等の異常がなく検査が完了したことを報知することができる。
【００４２】
第１３の発明は、漏洩検査結果を基地局に通報し復帰禁止指令を受信すると、遮断弁を
遮断状態に保持してガスの供給動作を不可にすると共に、漏洩検査結果で問題が発生し修理が必要であることを表示端末装置に表示するようにしたことを特徴とするものである。
【００４３】
そして、漏洩検査が完了するとその結果を基地局に送信し、異常がある場合基地局から送信される復帰禁止指令に基づいて遮断弁を閉状態に保持してガスの供給を停止すると共に、その状況をテレビや携帯電話等の表示端末装置で表示することで、需要家に対して修理が必要であること、修理完了までガスの供給が停止されることを報知することができるため、検査完了に伴うトラブルを低減することができる。
【００４４】
第１４の発明は、表示端末装置はテレビあるいは携帯電話とし、ガス遮断装置に内蔵の無線モジュールと同一の通信周波数帯を有する無線モジュールを内蔵あるいは一体的に取り付けたことを特徴とするものである。
【００４５】
そして、ガスメータに内蔵の無線モジュールと同一の通信周波数帯を有する無線モジュールをテレビあるいは携帯電話に設けることで、ガスメータから送信される各種表示情報をテレビあるいは携帯電話の表示部で表示することができ、外出から帰宅した場合等に対応して、その時の状況をリアルタイムで需要家に伝達することができ、漏洩検査に関連するトラブルを低減することができる。
【００４６】
以下、本発明の実施の形態について、図面を参照しながら説明する。なお、この実施の形態によって本発明が限定されるものではない。
【００４７】
（実施の形態１）
図１は本発明の実施の形態１のガスボンベ供給経路におけるガスメータとの通信形態の全体構成図、図２は同ガス器具監視装置におけるガス圧調整器とガスメータとの通信形態を示す図、図３は同ガス器具監視装置におけるガス圧調整器の構成ブロック図、図４は同ガス器具監視装置におけるガスメータの外観及び構成部品を示す図、図５は同ガスメータの内部構成図、図６は同ガスメータの制御回路基板の構成ブロック図である。
【００４８】
図１において、まずガスボンベ２０に接続されたガス供給経路１の途中にガス圧を調整するガス圧調整器ユニット２２とガスメータ２が配置され、ガスメータ２を経由した後の配管に接続される複数のガス器具及びガスメータ２が保有する通信機能について説明する。
【００４９】
ガスボンベ２０に接続されたガス供給管１の入口部分にガスメータ２が設置され、このガスメータ２を経由した後のガス配管３から分岐して家庭で使用する種々のガス器具が設置された場所まで配管されガスが供給される。例えば、屋外にはガス給湯器４が設置され、このガス給湯器４で生成される湯が水配管を介して台所の給湯栓５、浴槽やシャワー装置が設置された風呂６、リビング等に設置された床暖房７に供給され、種々の使用形態を形成している。
【００５０】
また、屋内にあっては、台所に設置されたガステーブル８、リビングや寝室等に設置されたガスファンヒータ９にガスが供給され、必要に応じて適宜使用される。
【００５１】
そして、設置されたガス器具が使用されガスの消費が発生するとガスメータ2でその使用量が計測され、そのデータが所定期間毎に累積記憶されている。このガスメータ2に記憶されたデータはガス事業者１５からの定期的なデータ要求指令に基づいて所定の情報処理を行った後、ガス料金やガス使用量あるいはガス事業者１５が提供する割引サービス等の情報として需要家１３及びガス事業者１５に送信される。
【００５２】
この送信手段としては、図４に示すようにガスメータ２に内蔵された制御装置を構成する制御回路基板１０に一体的に組み込まれた無線モジュール１１を用いて行い、この無線モジュール１１はコネクタ１０ｄで着脱自在に制御回路基板１０にオンボードされ、無線モジュール１１を搭載せず通信機能を有しないガスメータと無線モジュール１１を搭載した通信機能を有するガスメータを任意に選択できる構成とし、ガスメータ２の共通化を図り、通信機能の有無に関係なく使用できるようにしている。
【００５３】
また、無線モジュール１１を着脱自在な構成とすることで、通信機能を有する場合であっても通信規格を取得した無線モジュールを搭載すれば、ガスメータ本体で通信機としての規格を取得する必要がなく、ガスメータを変更する場合等において規制を受けることなく比較的自由に変更が可能となる。
【００５４】
そして、図６に示すように無線モジュール１１は、基地局１４と通信するために電話回線とは異なる、例えば２００ＭＨｚの通信周波数帯を有する広域通信無線モジュール１１ａと、需要家宅１３内のテレビ１２ａ、パソコンあるいは携帯電話１２ｂ等の特定の端末装置１２、あるいはガスボンベ２０側に設け供給ガス圧を調整するガス圧調整器ユニット２２と通信するために、例えば４２９ＭＨｚ等の特定小電力無線通信周波数帯を有するエリア通信無線モジュール１１ｂで構成し、流量信号やセンサ信号に基づいてガス使用量の算出あるいは地震、ガス漏れ等の異常検知を行う制御回路１０ａからのデータ、さらには基地局１４を介してガス事業者１５から送信される各種情報、例えば定期的なガス漏れ検査指令情報、を受信すると、その受信データに応じて、例えばガス料金、ガス使用量あるいは地震、ガス漏れ等の異常発生に伴うガス遮断弁の作動、さらにはガス漏れ検査指令情報に応じた各種処理等、需要家に報知すべき内容の場合はエリア通信無線モジュール１１ｂを用いて需要家宅１３内のテレビ１２ａあるいは携帯電話１２ｂ等の特定の端末装置１２にデータを送信し、ガス漏れ検査指令情報が送信された場合はその情報をガス圧調整器ユニット２２に送信し所定のガス漏洩検査処理を実行する。
【００５５】
そして、図７に示すように特定の端末装置１２にもガスメータ２に内蔵してあるエリア通信無線モジュール１１ｂと同一の通信周波数帯を有する無線モジュール１１ｃを内蔵あるいは一体的に取り付けることで、ガスメータ２から送信されるデータを受信することができ、このデータをテレビ１２ａあるいは携帯電話１２ｂの画面を通じて表示することで、ガスメータから直接需要家に対して情報の伝達を行うことができ、従来のように、ガスメータ２からガス事業者１５にデータを送信し、ガス事業者１５でデータ処理を行った情報、例えば料金通知等の葉書を郵送等で需要家に送付するという情報伝達方法を採用する必要がなくなるため、通知作業に要する工数を削減でき、かつ通知用葉書等の郵送費用の発生もなくなり、通知業務の合理化を実現することでガス料金の低減に寄与するものである。
【００５６】
また、ガスメータ２から特定の端末装置１２に各種情報を送信した場合は、エリア通信無線モジュール１１ｂから広域通信無線モジュール１１ａに報知完了信号を送り、広域通信無線モジュール１１ａはこの報知完了信号を基地局１４に送信し、ガス事業者１５に需要家への情報伝達が完了したことを通知する。なお、この場合、特定の端末装置１２からの応答信号を受信して報知完了信号を送信することが好ましく、より確実に需要家への情報伝達を行うことができ、合理的な情報伝達システムを構築することができる。
【００５７】
また、図２に示すようにガス圧調整器ユニット２２にも同様にガスメータ２に内蔵してあるエリア通信無線モジュール１１ｂと同一の通信周波数帯を有するボンベ側無線モジュール１１ｄを内蔵あるいは一体的に取り付けることで、基地局１４から送信されるガス事業者１５が定期的に行うガス漏洩検査の検査指令情報に基づくガスメータ２の上流側の配管を含むガス供給経路のガス漏洩検査をガスメータ２に内蔵の圧力センサ２ｄを用いて行
うことができる。
【００５８】
次に、ガスメータ２の基本機能である制御回路１０ａに内蔵されたガス流量を計測し所定の処理を行って流量情報として出力する流量計測処理手段について簡単に説明すると、ガスメータ２には図４、図５に示すように、ガス入口２ａとガス出口２ｂを有し、その間のガス流路内に異常時にガスを遮断する遮断弁２ｃとガス流量を計測する一対の超音波センサ１７が設けられ、その下流側にガス圧を検出する圧力センサ２ｄが配置されている。
【００５９】
また、超音波センサ１７からの信号でガス流量を算出する制御回路１０ａを搭載した制御回路基板１０がガスメータ２の表示部２ｅに液晶表示器１０ｅを臨ますように配置され、さらに、制御回路１０ａを駆動させるための電池２ｆが収納されている。また、遮断弁２ｃが作動した後の復帰動作を手動で行う手段として復帰ボタン２ｇが配置されている。
【００６０】
そして、ガス流量を計測する流量計測部１７と制御回路１０ａは、例えば図９に示すように、ガス流路に一対の超音波センサを配置し流路を流れる流量に応じて変化する伝播時間を計測することで流量を測定するものがある。以下、その構成を説明すると、超音波を送信または受信する第１送受信器１７Ａと受信または送信する第２送受信器１７Ｂが流れ方向に配置され、制御回路１０ａを構成する切換手段を有する計測制御部１８によって送受信の切り換えが可能になっており、ガス等の流体の流れ状態を検出している。この第１送受信器１７Ａと第２送受信器１７Ｂの信号を処理して流量を計測するもので、具体的には、まず計測制御部１８により第１送受信器１７Ａを駆動し、第２送受信器１７Ｂに向け、すなわち上流から下流に超音波を送信する。そして第２送受信器１７Ｂで受信した信号を計測制御部１８に設けた増幅手段により増幅し、この増幅された信号は基準信号と比較され、基準信号以上の信号が検出された後、計測制御部１８に設けた繰り返し手段により上記の送受信を所定の回数を繰り返し、それぞれの時間値を計測制御部１８に設けたタイマカウンタのような計時手段で計測する。
【００６１】
次に、切換手段を有する計測制御部１８で第１送受信器１７Ａと第２送受信器１７Ｂの送受信を切換えて、第２送受信器１７Ｂから第１送受信器１７Ａ、すなわち下流から上流に向かって超音波信号を送信し、この送信を前述のように繰り返し、それぞれの時間値を計測する。そして、第１送受信器１７Ａと第２送受信器１７Ｂとの超音波の伝搬時間差から流路１６の大きさや流体の流れ状態を考慮して信号処理手段１９で流量値を求める。求められた流量データは情報記憶手段１０ｂで累積され、所定期間毎の累積データとして記憶される。
【００６２】
また、流量計測部１７が配置された流路１６内には異常時等にガスの流れを遮断する遮断弁２ｃが設けられ、信号処理手段１９で求められる流量値が異常に多い場合や通常考えられる使用時間を超えて流量値が検出されるような場合に異常と判断して遮断弁２ｃを作動させてガス流路１６を遮断する。
【００６３】
また、感震装置２１から地震や衝撃信号、圧力センサ２ｄから異常なガス圧の信号が入力されると、制御回路１０ａを介して遮断弁２ｃを作動させてガス流路１６を遮断すると共に、センターに通報する。
【００６４】
次に、ガスメータ２に内蔵した無線モジュール１１を用いた情報伝達の一例を説明すると、まずガス事業者１５からの検針指示が基地局１４を介して広域通信周波数帯（例えば、２００ＭＨｚ）で送信された場合、ガスメータ２に内蔵してある広域通信無線モジュール１１ａが受信し、その検針指示情報が同一基板に搭載してある制御回路１０ａに送られる。制御回路１０ａには流量計測手段で計測された流量データが所定期間毎に累積され、その累積データ、あるいは料金データに変換した情報が情報記憶手段１０ｂに記憶されて
おり、ガス事業者１５からの検針指示情報が入力されると制御回路１０ａは情報記憶手段１０ｂの流量累積データ、あるいは料金データに変換した情報を通信切替手段１０ｃを介してエリア通信無線モジュール１１ｂ及び広域通信無線モジュール１１ａに送り、広域通信無線モジュール１１ａは広域通信周波数帯（例えば、２００ＭＨｚ）で基地局１４に送信し、基地局１４から専用回線を用いてガス事業者１５に検針情報が伝達される。また、エリア通信無線モジュール１１ｂは特定小電力無線通信周波数帯（例えば、４２９ＭＨｚ）でテレビ１２ａ等の特定の端末装置１２に一体的に取り付けた無線モジュール１１ｃに送信し、画面上に例えば、図８（ａ）に示すような料金情報や使用量を表示する。そして、特定端末装置１２への送信が完了すると、上記した如く、報知完了信号をガス事業者１５に送信し、需要家への情報伝達が完了したことを通知する。
【００６５】
また、地震や衝撃等で遮断弁２ｃが作動した場合において原因究明がなされ、ガス事業者１５からの復帰指示が基地局１４を介して広域通信周波数帯（例えば、２００ＭＨｚ）で送信された場合、ガスメータ２に内蔵してある広域通信無線モジュール１１ａが受信し、その復帰指示情報が同一基板に搭載してある制御回路１０ａに送られる。制御回路１０ａは復帰指示情報が入力されると、情報記憶手段１０ｂに記憶されている復帰作業に関する情報を通信切替手段１０ｃを介してエリア通信無線モジュール１１ｂに送り、エリア通信無線モジュール１１ｂは特定小電力無線通信周波数帯（例えば、４２９ＭＨｚ）でテレビ１２ａ等の表示端末装置１２に一体的に取り付けた無線モジュール１１ｃに送信し、画面上に例えば、図８（ｂ）に示すような復帰作業の手順を表示する。そして、表示端末装置１２への送信が完了すると、上記した如く、報知完了信号をガス事業者１５に送信し、需要家への情報伝達が完了したことを通知する。
【００６６】
以上のように、制御回路１０ａには伝達する情報に応じて通信する相手先に対応して通信周波数帯の異なる無線モジュールを選択すべく通信切替手段１０ｃを有しており、例えば、ガス事業者１５からの検針指令の場合は、広域通信無線モジュール１１ａで受信した情報によりガス事業者１５と特定端末装置１２に情報記憶手段１０ｂの記憶情報を伝達する必要があり、この場合は、例えば２００ＭＨｚの通信周波数帯を有する広域通信無線モジュール１１ａと、例えば４２９ＭＨｚの特定小電力無線通信周波数帯を有するエリア通信無線モジュール１１ｂを選択し、ガス事業者１５からの復帰指示の場合は、表示端末装置１２に情報記憶手段１０ｂの記憶情報を伝達するだけでよく、この場合は、例えば４２９ＭＨｚの特定小電力無線通信周波数帯を有するエリア通信無線モジュール１１ｂを選択すればよい。
【００６７】
なお、広域通信無線モジュール１１ａとエリア通信無線モジュール１１ｂはそれぞれ別々に設けてもよく、共通の無線モジュールとし通信周波数帯を広域通信周波数帯と特定小電力無線通信周波数帯で切替えるようにしてもよいもので、前者の場合、通信切替手段１０ｃは広域通信無線モジュール１１ａとエリア通信無線モジュール１１ｂを選択する必要があり、同時通信が可能というメリットがある反面、設置スペース大やコスト高というデメリットを有している。後者の場合、通信切替手段１０ｃは通信相手先に応じて通信周波数帯を切替える必要があり、設置スペース小やコスト安というメリットがある反面、同時通信ができず交互通信になるというデメリットを有している。
【００６８】
次に、以上のような通信機能を有するガスメータにおいて、基地局１４から送信されるガス漏洩検査指令情報に基づくガスメータ２の上流側の配管を含むガス供給経路のガス漏洩検査について具体的に説明する。
【００６９】
図２に示すように、ガスボンベ２０から供給されるＬＰガス等の供給ガスはボンベ出口側に設けられたガス圧調整器ユニット２２で所定のガス圧に調整、具体的にはダイアフラムなどで構成されたガス圧調整器２２ａで所定のガス圧に調整し、ボンベ側遮断弁２２ｃ
を介してメータ２の上流側ガス供給経路１に供給される。また、ガス圧調整器ユニット２２にはガスメータ２に内蔵のエリア通信無線モジュール１１ｂと同じ通信周波数帯を有するボンベ側無線モジュール１１ｄがボンベ側制御回路２２ｂに一体的に組み込まれており、このボンベ側無線モジュール１１ｄを用いてガスメータ２と各種情報の伝達が可能な構成となっている。
【００７０】
ボンベ側制御回路２２ｂには駆動用電池２２ｄが設けられ、ボンベ側無線モジュール１１ｄで受信したガスメータ２からの指令に基づいてボンベ側遮断弁２２ｃの開閉動作を行う制御部２２ｅを有している。そして、ボンベ側遮断弁２２ｃは制御部２２ｅからの遮断信号で上流側ガス供給経路１を遮断し、復帰信号で開放状態となるように、自動開閉機能を有している。
【００７１】
このようなガス調整器ユニット２２をボンベ側出口の上流側ガス供給経路１に配置することで、基地局１４から送信されるガス漏洩検査指令情報をガスメータ２に内蔵の広域通信無線モジュール１１ａが受信すると、ガスメータ２で流量有無を検出し「流量なし」が検出されるとエリア通信無線モジュール１１ｂを用いてガス調整器ユニット２２に対して検査開始信号が送信される。
【００７２】
この検査開始信号をボンベ側無線モジュール１１ｄが受信すると、制御部２２ｅから遮断信号が出力されボンベ側遮断弁２２ｃが作動して上流側ガス供給経路１を遮断状態に保持し、ボンベ側遮断弁２２ｃ以降のガス経路１、３を密閉状態として、ガスメータ２に内蔵の圧力センサ２ｄにより圧力変化を監視し、ガス経路１、３内のガス漏洩検査を実行する。
【００７３】
このガス漏洩検査について図３を用いて詳細に説明する。
【００７４】
基地局１４からはガス事業者１５からの定期的な漏洩検査指令信号や漏洩検査解除信号、漏洩検査禁止信号などの情報が送信される。
【００７５】
まず、漏洩検査指令信号が送信されると、ガスメータ２に内蔵の広域通信無線モジュール１１ａが受信し、ガスメータ２の流量計測手段１７で検出される流量情報に基づいて器具使用判別手段２３が器具使用の有無を判断する。
【００７６】
器具使用判別手段２３で「使用あり」が判断されると、「使用なし」の状態が判断されるまで待機モードとし、漏洩検査モードへの移行を停止する。
【００７７】
器具使用判別手段２３で「使用なし」が判断されると、漏洩検査モードへ移行し、エリア通信無線モジュール１１ｂで検査開始信号を送信する。
【００７８】
ガス圧調整器ユニット２２はボンベ側無線モジュール１１ｄでガスメータ２からの信号を受信すると、漏洩検査信号判別手段２４で検査開始信号であるか否かを判別し、検査開始信号である場合、遮断信号出力手段２５よりボンベ側遮断弁駆動回路２６に遮断信号を送り、ボンベ側遮断弁２２ｃを作動して上流側ガス供給経路１を遮断状態とする。
【００７９】
このボンベ側遮断弁２２ｃの遮断により密閉状態となったガス経路１、３のガス圧をガスメータ２のガス圧検出手段２ｄで検出し、ガス漏洩監視手段２７でその変化状況を監視する。
【００８０】
ガス漏洩判定手段２８は、この経過監視においてガス圧変化が予め定めた値以上低下したときガス経路１、３内においてガス漏れが発生していると判断する。ガス圧変化が予め
定めた値以下のときはガス漏れがないと判断する。
【００８１】
以上の漏洩検査モードにおける検査結果は広域通信無線モジュール１１ａを用いて基地局１４に送信され、その結果を受けとったガス事業者１５は、ガス漏れがない場合、基地局１４を介して漏洩検査解除信号を送信し、この信号を受信した広域通信無線モジュール１１ａはエリア通信無線モジュール１１ｂを用いてボンベ側無線モジュール１１ｄに信号を送信し、漏洩検査信号判別手段２４で解除信号であることが判別されると、解除信号出力手段２９よりボンベ側遮断弁駆動回路２６に復帰信号を送り、ボンベ側遮断弁２２ｃを作動して上流側ガス供給経路１を開放状態とする。
【００８２】
また、漏洩検査結果においてガス漏れがある場合は、基地局１４を介して漏洩検査禁止信号を送信し、この信号を受信した広域通信無線モジュール１１ａはエリア通信無線モジュール１１ｂを用いてボンベ側無線モジュール１１ｄに信号を送信し、漏洩検査信号判別手段２４で禁止信号であることが判別されると、禁止信号出力手段３０よりボンベ側遮断弁駆動回路２６に禁止信号を送り、ボンベ側遮断弁２２ｃを作動して上流側ガス供給経路１を遮断状態に保持する。
【００８３】
以上が、ボンベ側遮断弁２２ｃを作動させガス経路１、３を密閉状態にしてガス漏洩検査を行う第１漏洩確認モードである。
【００８４】
この第１漏洩確認モードでガス漏れが検出された場合は、ガス事業者１５が出動してガス漏れ箇所の確認と原因調査を行い、適切な処置を行うことが一般的であるが、本実施の形態では、さらに第１漏洩確認モードでガス漏れが検出された場合において、ガス漏れ箇所が上流側ガス供給経路１か、下流側ガス供給経路３か、を特定するための第２の漏洩確認モードを有したものである。
【００８５】
第２の漏洩確認モードは、第１漏洩確認モードの検査結果において「漏洩あり」となった場合、基地局１４から再度、第２漏洩確認モード用の漏洩検査指令信号を送信し、この信号を受信した広域通信無線モジュール１１ａは器具使用判別手段２４で器具使用があるか否かを判断し、器具使用がないと判断したときガスメータ２の制御回路１０ａに設けた遮断信号出力手段３１よりガス遮断弁駆動回路３２に遮断信号を送り、ガス遮断弁２ｃを作動して下流側ガス供給経路３を遮断状態とする。
【００８６】
このガス遮断弁２ｃの遮断により密閉状態となったガス経路３のガス圧をガスメータ２のガス圧検出手段２ｄで検出し、ガス漏洩監視手段２７でその変化状況を監視する。
【００８７】
ガス漏洩判定手段２８は、この経過監視においてガス圧変化が予め定めた値以上低下したときガス経路３内においてガス漏れが発生していると判断する。ガス圧変化が予め定めた値以下のときはガス漏れがないと判断する。
【００８８】
この第２漏洩確認モードにおける検査結果も第１漏洩確認モードの場合と同様に広域通信無線モジュール１１ａにより基地局１４を介してガス事業者１５に送信される。
【００８９】
この第２漏洩確認モードの検査結果において、「漏洩なし」と判断された場合は上流側ガス供給経路１内にガス漏れ箇所が存在すると判断することができ、「漏洩あり」と判断された場合は下流側ガス供給経路３内にガス漏れ箇所が存在すると判断することができる。
【００９０】
このように、第１漏洩確認モードと第２漏洩確認モードを有することにより、ガス供給経路全域における漏洩検査、ガスメータより下流側のガス供給経路における漏洩検査を実
行することができるため、それぞれの用途に応じたガス漏れ検査を選択することができる。
【００９１】
また、本実施の形態では、漏洩確認動作が開始されると、ガスメータ２に内蔵のエリア通信無線モジュール１１ｂを用いてテレビ１２ａや携帯電話１２ｂ等の表示端末装置１２にその経過情報を表示するようにしており、例えば図１０（ｂ）に示すように、「ガス漏れ検査実施中です」「あと、○○分で完了します」というメッセージと共に、残時間をビジュアルに表示することで、ガスの漏洩検査をしていることを知らせることができる。なお、経過情報の表示形態としては上記に限定されるものではなく、完了予定時刻を表示してもよく、単に検査中であることだけを表示するようにしてもよい。
【００９２】
また、漏洩確認動作が実施され流量ありが確認されたとき、流量なし状態への待機状態であることを表示端末装置１２に表示するようにしてもよく、これにより需要家に検査開始段階であることを通知し、需要家に対して器具の使用を差し控えてもらうことが可能となり、器具使用に伴う検査の中断等のトラブルを抑制することができる。
【００９３】
また、上記漏洩確認動作中に圧力センサ２ｄが急激な低下方向の圧力変化を検出したときは、器具栓が開放され使用開始状態にあると判断して、ボンベ側遮断弁２２ｃやガス遮断弁２ｃを開放状態にしてガスの供給動作を開始し、漏洩確認動作を一時的に中断する。そして、このときも表示端末装置１２の画面上に漏洩確認動作を一時中断したことを表示するようにし、これにより需要家に検査中であることを通知し、器具の使用を最小限に抑えてもらうことが可能となり、器具使用に伴う検査の中断等のトラブルを抑制することができる。
【００９４】
そして、上記漏洩検査結果は広域通信無線モジュール１１ａを用いて基地局１４に送信され、ガス事業者１５はこの漏洩検査結果より異常がないと判断した場合は復帰許可指令を送信し、広域通信無線モジュール１１ａがこの指令を受信すると、制御回路１０ａ、２２ｂはボンベ側遮断弁２２ｃやガス遮断弁２ｃを開状態に復帰してガスの供給を開始すると共に、通信切替手段１０ｃによりエリア通信無線モジュール１１ｂを用いて、図１０（ａ）に示すように、テレビ１２ａ等の表示端末装置１２に検査完了信号を送って、画面上に検査が完了したこと、異常がなかったことを表示する。
【００９５】
また、上記検査結果において異常があると判断された場合は復帰禁止指令を送信し、広域通信無線モジュール１１ａがこの指令を受信すると、制御回路１０ａ、２２ｂはボンベ側遮断弁２２ｃやガス遮断弁２ｃを閉状態に保持してガスの供給を停止すると共に、通信切替手段１０ｃによりエリア通信無線モジュール１１ｂを用いてテレビ１２ａ等の表示端末装置１２に検査異常信号を送って、画面上にガス漏れが確認されたこと、修理が必要なこと、ガス供給ができないこと等を表示するようにしている。
【００９６】
以上のように本実施の形態によれば、電話回線以外の無線通信手段を用いて基地局との通信が可能な無線モジュール１１ａと、ガスボンベ２０側に設けたガス圧調整器ユニット２２との間で漏洩検査情報の送受信が可能な無線モジュール１１ｂとを、ガスメータ２内の計測機能及び遮断機能を有した制御回路１０ａ基板に一体的に組み込んだ形態としているため、ガスメータ２を設置するだけで基地局１４と電話回線を用いることなく通信が可能となり、回線の混雑状況に影響を受けず基地局との通信をスムーズに行うことができ、ガスメータ２で取得した各種器具情報を基地局１４に迅速かつ的確に伝えることができ、また基地局１４からの指示に基づく各種処理を的確に実施することができる。
【００９７】
さらに、基地局１４から漏洩検査指令が送信されたとき所定の確認処理を経て、まずガス圧調整器ユニット２２内のボンベ側遮断弁２２ｃを閉じてガスメータ２より上流側のガ
ス供給経路を含むガス流路内のガス漏洩検査を実施し、この検査結果において「漏洩あり」と判断したとき、ガスメータ２内のガス遮断弁２ｃを閉じてガスメータ２より下流側のガス流路内のガス漏洩検査を実施するようにしているため、ガス漏れ発生時においてガス漏れ箇所がガスメータより上流側か、下流側か、を特定することができ、迅速な処置が可能になる。
【００９８】
また、基地局１４から漏洩検査指令を送信するだけで、漏洩検査が可能な状態であるか否かを判断し可能な状態と判断したとき、ガス圧調整器ユニット２２に内蔵のボンベ側遮断弁２２ｃを動作させ、ボンベ側ガス供給経路１を遮断してガスメータ２より上流側の漏洩検査を自動的に行うことができるため、ガス事業者が需要家宅に出向いて検査を行う必要がなくなり、検査の省力化を図ることができる。
【００９９】
また、第１の漏洩確認モードは、基地局１４からの漏洩検査指令を広域通信無線モジュール１１ａで受信したあと、漏洩検査モードに入って流量計測手段１７からの流量情報で流量なしの状態が検出されたとき、ガスボンベ２０側に設けたガス圧調整器２２に一体的に取り付けられたボンベ側無線モジュール１１ｄに漏洩検査開始用の信号を特定小電力無線通信周波数帯を用いて送信し、この信号を受けてガス圧調整器２２に一体的に取り付けられたボンベ側遮断弁２２ｃを閉じ、ガスメータ２に内蔵の圧力検出手段２ｄによりガス圧の変化状況を確認し、所定期間内におけるガス圧変化より漏洩の有無を判断し、ガスメータより上流側の流路を含む漏洩検査を実行するようにしている。
【０１００】
また、第２の漏洩確認モードは、基地局１４からの漏洩検査指令を広域通信無線モジュール１１ａで受信したあと、漏洩検査モードに入って流量計測手段１７からの流量情報で流量なしの状態が検出されたとき、ガスメータ２に内蔵のガス遮断弁２ｃを閉じ、ガスメータ２に内蔵の圧力検出手段２ｄによりガス圧の変化状況を確認し、所定期間内におけるガス圧変化より漏洩の有無を判断し、ガスメータより下流側の流路の漏洩検査を実行するようにしている。
【０１０１】
また、漏洩検査モードに入ったとき、流量計測手段１７で流量ありが確認された場合は器具が使用中であると判断して、流量なしの状態が確認されるまで漏洩検査待機モードとして漏洩確認動作を行わず、流量なしの状態が確認されたとき実施するようにしたもので、ガス事業者１５が実施する定期的な漏洩検査や漏洩通報があったときに行う漏洩検査を、基地局１４からガスメータ２に漏洩検査指令を送信するだけで、ガスメータ自体が検査可能な状況を判断するための情報を取得し、判断し、検査を実行するセルフチェック機能を有するものとなり、検査の省力化に大きく貢献することができる。
【産業上の利用可能性】
【０１０２】
本発明のガス器具監視装置によれば、ガスの流量及び圧力の計測機能及び遮断機能を有するガスメータに、ガス圧調整器との間で漏洩検査情報を送受信する無線モジュールを内蔵し、漏洩検査指令を送信することでボンベ側の流路を遮断し、ガスメータに内蔵の圧力計測機能を用いて、ガスメータより上流側のガス漏れが検出可能な構成としたもので、定期検査を伴う各種メータにも適用することができる。
【図面の簡単な説明】
【０１０３】
【図１】本発明の実施の形態１のガスボンベ供給経路におけるガスメータとの通信形態の全体構成図
【図２】同ガス器具監視装置におけるガス圧調整器とガスメータとの通信形態を示す図
【図３】同ガス器具監視装置におけるガスメータとガス圧調整器の構成ブロック図
【図４】同ガス器具監視装置におけるガスメータの外観及び構成部品を示す図
【図５】同ガスメータの内部構成図
【図６】同ガスメータの制御回路基板の構成ブロック図
【図７】同ガス器具監視装置と特定端末装置の通信形態を示す図
【図８】（ａ）同特定端末装置における料金情報表示形態を示す図（ｂ）同特定端末装置における復帰情報表示形態を示す図
【図９】同ガス器具監視装置の制御回路の構成ブロック図
【図１０】（ａ）同表示端末装置における漏洩検査情報表示形態を示す図（ｂ）同表示端末装置における別の漏洩検査情報表示形態を示す図
【符号の説明】
【０１０４】
２  ガスメータ
２ｃ  ガス遮断弁
２ｄ  圧力センサ（圧力検出手段）
１０ａ  制御回路
１０ｂ  情報記憶手段
１０ｃ  通信切替手段
１１  無線モジュール
１１ａ  広域通信無線モジュール
１１ｂエリア通信無線モジュール
１１ｄ  ボンベ側無線モジュール
１２  特定端末装置
１２ａ  テレビ
１２ｂ  携帯電話
１４  基地局
１５  ガス事業者
１７  流量計測手段
２２  ガス圧調整器ユニット
２２ａ  ガス圧調整器
２２ｂ  ボンベ側制御回路
２２ｃ  ボンベ側遮断弁
２３  器具使用判別手段
２７  ガス漏洩監視手段
２８  ガス漏洩判定手段
【図６】
2008232993.tif 000003
【図１】
2008232993.tif 000004
【図２】
2008232993.tif 000005
【図３】
2008232993.tif 000006
【図４】
2008232993.tif 000007
【図５】
2008232993.tif 000008
【図７】
2008232993.tif 000009
【図８】
2008232993.tif 000010
【図９】
2008232993.tif 000011
【図１０】
2008232993.tif 000012